(57)【要約】【課題】弁機構の故障を抑制する。【解決手段】弁機構（14a,14b,63a,63b,90）は、弁体（80,95）と、弁体（80,95）の先端部（80a,95b）に対向する位置に形成される第１流路（81）と、弁体（80,95）の先端部（80a,95b）が第１流路（81）を閉鎖する第１位置と、弁体（80）の先端部（80a,95b）が第１流路（81）を開放する第２位置との間で、弁体（80,95）を移動させる駆動部（85）と、弁体（80）が第２位置にあるときに、第１流路（81）と連通する第２流路（82）とを有する。高圧流路（I1,I2,O2,O3,48）は、弁機構（14a,14b,63a,63b,90）において、高圧冷媒が常に第２流路（82）、第１流路（81）の順に流れるように構成される。【選択図】図４
2020186868.tif 000002
【特許請求の範囲】
【請求項１】
圧縮部（C）、利用熱交換器（64）、及び熱源熱交換器（13）を含むとともに冷媒が臨界圧力以上となる冷凍サイクルを行う冷媒回路（6）を備えた冷凍装置（1）に設けられる冷凍装置用ユニットであって、
前記冷媒回路（6）の高圧冷媒が流れる少なくとも１つの高圧流路（I1,I2,O2,O3,48）と、
前記高圧流路（I1,I2,O2,O3,48）に接続される弁機構（14a,14b,63a,63b,90）とを備え、
前記弁機構（14a,14b,63a,63b,90）は、
弁体（80,95）と、
前記弁体（80,95）の先端部（80a,95b）に対向する位置に形成される第１流路（81）と、
前記弁体（80,95）の先端部（80a,95b）が前記第１流路（81）を閉鎖する第１位置と、該弁体（80）の先端部（80a,95b）が該第１流路（81）を開放する第２位置との間で、前記弁体（80,95）を移動させる駆動部（85）と、
前記弁体（80）が前記第２位置にあるときに、前記第１流路（81）と連通する第２流路（82）とを有し、
前記高圧流路（I1,I2,O2,O3,48）は、前記弁機構（14a,14b,63a,63b,90）において、前記高圧冷媒が常に前記第２流路（82）、前記第１流路（81）の順に流れるように構成されることを特徴とする冷凍装置用ユニット。
【請求項２】
請求項１において、
前記弁機構（14a,14b,63a,63b,90）は、膨張弁（14a,14b,63a,63b）で構成されることを特徴とする冷凍装置用ユニット。
【請求項３】
請求項１又は２において、
前記高圧流路（I1,I2,O2,O3,48）は、前記弁機構（14a,14b,63a,63b,90）において、前記第２流路（82）、前記第１流路（81）の順の冷媒の流れを許容し、該第１流路（81）、該第２流路（82）の順の冷媒の流れを禁止する規制機構（CV4,CV5,CV8,CV9,CV10）を有することを特徴とする冷凍装置用ユニット。
【請求項４】
請求項３において、
前記冷媒回路（6）は、前記熱源熱交換器（13）を放熱器とし、前記利用熱交換器（64）を蒸発器とする第１冷凍サイクルと、前記利用熱交換器（64）を放熱器とし、前記熱源熱交換器（13）を蒸発器とする第２冷凍サイクルとを切り換えて行うように構成され、
前記少なくとも１つの高圧流路（I1,I2,O2,O3,48）は、２つの高圧流路（I1,I2,O2,O3）を含み、
前記２つの高圧流路（I1,I2,O2,O3）が並列に接続される並列回路（IP,OP）を有し、
前記各高圧流路（I1,I2,O2,O3）には、前記弁機構（14a,14b,63a,63b）と前記規制機構（CV4,CV5,CV8,CV9）とがそれぞれ接続され、
前記並列回路（IP,OP）は、前記２つの高圧流路（I1,I2,O2,O3）の冷媒の流れが互いに逆向きとなるように構成されることを特徴とする冷凍装置用ユニット。
【請求項５】
請求項３又は４において、
前記規制機構は、逆止弁（CV4,CV5,CV8,CV9,CV10）で構成されることを特徴とする冷凍装置用ユニット。
【請求項６】
請求項１乃至５のいずれか１つにおいて、
前記冷媒回路（6）の冷媒は、二酸化炭素であることを特徴とする冷凍装置用ユニット。
【請求項７】
圧縮部（C）及び熱源熱交換器（13）を含むとともに冷媒が臨界圧力以上となる冷凍サイクルを行う冷媒回路（6）を備えた冷凍装置（1）に設けられる熱源ユニットであって、
請求項１乃至６のいずれか１つの冷凍装置用ユニットで構成される熱源ユニット。
【請求項８】
利用熱交換器（64）を含むとともに冷媒が臨界圧力以上となる冷凍サイクルを行う冷媒回路（6）を備えた冷凍装置（1）に設けられる利用ユニットであって、
請求項１乃至６のいずれか１つの冷凍装置用ユニットで構成される利用ユニット。
【請求項９】
圧縮部（C）、利用熱交換器（64）、及び熱源熱交換器（13）を含むとともに冷媒が臨界圧力以上となる冷凍サイクルを行う冷媒回路（6）を備えた冷凍装置（1）に設けられる冷凍装置用ユニットであって、
請求項１乃至６のいずれか１つの冷凍装置用ユニットを備えていることを特徴とする冷凍装置。
【発明の詳細な説明】
【技術分野】
【０００１】
本開示は、冷凍装置用ユニット、熱源ユニット、利用ユニット、及び冷凍装置に関する。
【背景技術】
【０００２】
特許文献１に開示の冷凍装置は、圧縮機、熱源熱交換器、膨張弁、利用熱交換器を有する冷媒回路を備える。冷媒回路では、冷凍サイクルが行われる。冷凍サイクルでは、圧縮機で圧縮された冷媒が熱源熱交換器で放熱する。放熱した高圧冷媒は、膨張弁で減圧され、利用熱交換器で蒸発する。
【先行技術文献】
【特許文献】
【０００３】
【特許文献１】特開２００４−４４９２１号公報
【発明の概要】
【発明が解決しようとする課題】
【０００４】
特許文献１のような冷凍装置では、例えば二酸化炭素などの冷媒を臨界圧力以上とする冷凍サイクルを行うものがある。この場合、膨張弁などの弁機構を流れる高圧冷媒の圧力は、亜臨界域での一般的な冷凍サイクルよりも高くなる。
【０００５】
膨張弁などの弁機構は、弁体によって流路の端部を塞ぐことで流路を閉鎖したり、弁体と流路の端部との隙間の間隔に応じて減圧量を調節したりする。このため、超臨界圧力以上の冷媒の圧力が弁体を開放させる向きに作用すると、弁機構が故障する可能性がある。
【０００６】
本開示の目的は、弁機構の故障を抑制することである。
【課題を解決するための手段】
【０００７】
第１の態様は、圧縮部（C）、利用熱交換器（64）、及び熱源熱交換器（13）を含むとともに冷媒が臨界圧力以上となる冷凍サイクルを行う冷媒回路（6）を備えた冷凍装置（1）に設けられる冷凍装置用ユニットであって、前記冷媒回路（6）の高圧冷媒が流れる少なくとも１つの高圧流路（I1,I2,O2,O3,48）と、前記高圧流路（I1,I2,O2,O3,48）に接続される弁機構（14a,14b,63a,63b,90）とを備え、前記弁機構（14a,14b,63a,63b,90）は、弁体（80,95）と、前記弁体（80,95）の先端部（80a,95b）に対向する位置に形成される第１流路（81）と、前記弁体（80,95）の先端部（80a,95b）が前記第１流路（81）を閉鎖する第１位置と、該弁体（80）の先端部（80a,95b）が該第１流路（81）を開放する第２位置との間で、前記弁体（80,95）を移動させる駆動部（85）と、前記弁体（80）が前記第２位置にあるときに、前記第１流路（81）と連通する第２流路（82）とを有し、前記高圧流路（I1,I2,O2,O3,48）は、前記弁機構（14a,14b,63a,63b,90）において、前記高圧冷媒が常に前記第２流路（82）、前記第１流路（81）の順に流れるように構成される。
【０００８】
第１の態様では、弁機構（14a,14b,63a,63b,90）において、高圧冷媒が第１流路（81）、第２流路（82）の順に流れない。このため、高圧冷媒の超臨界圧力以上の圧力が弁体（80,95）を開放する向きに作用することを回避できる。
【０００９】
第２の態様は、前記弁機構（14a,14b,63a,63b,90）は、膨張弁（14a,14b,63a,63b）で構成される。
【００１０】
第２の態様では、高圧冷媒の超臨界圧力以上の圧力が、膨張弁（14a,14b,63a,63b）の弁体（80）の開度を大きくする向きに作用することを回避できる。
【００１１】
第３の態様は、第１又は第２の態様において、前記高圧流路（I1,I2,O2,O3,48）は、前記弁機構（14a,14b,63a,63b,90）において、前記第２流路（82）、前記第１流路（81）の順の冷媒の流れを許容し、該第１流路（81）、該第２流路（82）の順の冷媒の流れを禁止する規制機構（CV4,CV5,CV8,CV9,CV10）を有する。
【００１２】
第３の態様では、規制機構により、弁機構（14a,14b,63a,63b,90）において、高圧冷媒が常に第２流路（82）、第１流路（81）の順に流れる。
【００１３】
第４の態様は、第３の態様において、前記冷媒回路（6）は、前記熱源熱交換器（13）を放熱器とし、前記利用熱交換器（64）を蒸発器とする第１冷凍サイクルと、前記利用熱交換器（64）を放熱器とし、前記熱源熱交換器（13）を蒸発器とする第２冷凍サイクルとを切り換えて行うように構成され、前記少なくとも１つの高圧流路（I1,I2,O2,O3,48）は、２つの高圧流路（I1,I2,O2,O3）を含み、前記２つの高圧流路（I1,I2,O2,O3）が並列に接続される並列回路（IP,OP）を有し、前記各高圧流路（I1,I2,O2,O3）には、前記弁機構（14a,14b,63a,63b）と前記規制機構（CV4,CV5,CV8,CV9）とがそれぞれ接続され、前記並列回路（IP,OP）は、前記２つの高圧流路（I1,I2,O2,O3）の冷媒の流れが互いに逆向きとなるように構成される。
【００１４】
第４の態様では、第１冷凍サイクルにおいて、高圧冷媒が２つの高圧流路（I1,I2,O2,O3）の一方を流れる。この高圧冷媒は、弁機構（14a,14b,63a,63b）において、第２流路（82）、第１流路（81）の順に流れる。第２冷凍サイクルにおいて、高圧冷媒は２つの高圧流路（I1,I2,O2,O3）の他方を流れる。この高圧冷媒は、弁機構（14a,14b,63a,63b）において、第２流路（82）、第１流路（81）の順に流れる。
【００１５】
第５の態様は、第３又は第４の態様において、前記規制機構は、逆止弁（CV4,CV5,CV8,CV9,CV10）で構成される。
【００１６】
第６の態様は、第１乃至第５のいずれか１つの態様において、前記冷媒回路（6）の冷媒は、二酸化炭素である。
【００１７】
第７の態様は、圧縮部（C）及び熱源熱交換器（13）を含むとともに冷媒が臨界圧力以上となる冷凍サイクルを行う冷媒回路（6）を備えた冷凍装置（1）に設けられる熱源ユニットであって、第１乃至第６のいずれか１つの態様の冷凍装置用ユニットで構成される熱源ユニットである。
【００１８】
第８の態様は、利用熱交換器（64）を含むとともに冷媒が臨界圧力以上となる冷凍サイクルを行う冷媒回路（6）を備えた冷凍装置（1）に設けられる利用ユニットであって、第１乃至第６のいずれか１つの態様の冷凍装置用ユニットで構成される利用ユニットである。
【００１９】
第９の態様は、圧縮部（C）、利用熱交換器（64）、及び熱源熱交換器（13）を含むとともに冷媒が臨界圧力以上となる冷凍サイクルを行う冷媒回路（6）を備えた冷凍装置（1）に設けられる冷凍装置用ユニットであって、第１乃至第６のいずれか１つの態様の冷凍装置用ユニットを備えている。
【図面の簡単な説明】
【００２０】
【図１】図１は、実施形態に係る冷凍装置の配管系統図である。
【図２】図２は、膨張弁の概略構成を示す縦断面図である。図２(Ａ）は閉鎖位置の膨張弁を示す。図２(Ｂ)は開放位置の膨張弁を示す。
【図３】図３は、冷設運転の冷媒の流れを示した図１相当図である。
【図４】図４は、冷房運転の冷媒の流れを示した図１相当図である。
【図５】図５は、冷房/冷設運転の冷媒の流れを示した図１相当図である。
【図６】図６は、暖房運転の冷媒の流れを示した図１相当図である。
【図７】図７は、暖房/冷設運転の冷媒の流れを示した図１相当図である。
【図８】図８は、暖房/冷設熱回収運転の冷媒の流れを示した図１相当図である。
【図９】図９は、暖房/冷設余熱運転の冷媒の流れを示した図１相当図である。
【図１０】図１０は、変形例に係る冷凍装置の配管系統図である。
【図１１】図１１は、電磁開閉弁の概略構成を示す縦断面図である。図１１(Ａ）は閉鎖位置の膨張弁を示す。図１１(Ｂ)は開放位置の膨張弁を示す。
【発明を実施するための形態】
【００２１】
以下、本実施形態について図面を参照しながら説明する。なお、以下の実施形態は、本質的に好ましい例示であって、本発明、その適用物、あるいはその用途の範囲を制限することを意図するものではない。
【００２２】
《実施形態》
〈全体構成〉
実施形態１に係る冷凍装置（1）は、冷却対象の冷却と、室内の空調とを同時に行う。ここでいう冷却対象は、冷蔵庫、冷凍庫、ショーケースなどの設備内の空気を含む。以下では、このような冷却対象の設備を冷設と称する。
【００２３】
図１に示すように、冷凍装置（1）は、室外に設置される室外ユニット（10）と、庫内の空気を冷却する冷設ユニット（50）と、室内の空調を行う室内ユニット（60）と、コントローラ（100）とを備える。冷設ユニット（50）及び室内ユニット（60）の数量は、１つに限らず、２つ以上であってもよい。これらのユニット（10,50,60）が４本の連絡配管（2,3,4,5）によって接続されることで、冷媒回路（6）が構成される。
【００２４】
４本の連絡配管（2,3,4,5）は、第１液連絡配管（2）、第１ガス連絡配管（3）、第２液連絡配管（4）、及び第２ガス連絡配管（5）で構成される。第１液連絡配管（2）及び第１ガス連絡配管（3）は、冷設ユニット（50）に対応する。第２液連絡配管（4）及び第２ガス連絡配管（5）は、室内ユニット（60）に対応する。
【００２５】
冷媒回路（6）では、冷媒が循環することで冷凍サイクルが行われる。本実施形態の冷媒回路（6）の冷媒は、二酸化炭素である。冷媒回路（6）は、冷媒が臨界圧力以上となる冷凍サイクルを行うように構成される。
【００２６】
〈室外ユニット〉
室外ユニット（10）は、屋外に設置される熱源ユニットである。室外ユニット（10）は、室外ファン（12）と、室外回路（11）とを有する。室外回路（11）は、圧縮部（C）、切換ユニット（30）、室外熱交換器（13）、第１室外膨張弁（14a）、第２室外膨張弁（14b）、レシーバ（15）、冷却熱交換器（16）、及び中間冷却器（17）を有する。室外ユニット（10）は、高圧流路（O2,O3）を有する冷凍装置用ユニットである。
【００２７】
〈圧縮部〉
圧縮部（C）は、冷媒を圧縮する。圧縮部（C）は、第１圧縮機（21）、第２圧縮機（22）、及び第３圧縮機（23）を有する。圧縮部（C）は、二段圧縮式に構成される。第２圧縮機（22）及び第３圧縮機（23）は、低段側圧縮機を構成する。第２圧縮機（22）及び第３圧縮機（23）は、互いに並列に接続される。第１圧縮機（21）は、高段側圧縮機を構成する。第１圧縮機（21）及び第２圧縮機（22）は、直列に接続される。第１圧縮機（21）及び第３圧縮機（23）は、直列に接続される。第１圧縮機（21）、第２圧縮機（22）、及び第３圧縮機（23）は、モータによって圧縮機構が駆動される回転式圧縮機である。第１圧縮機（21）、第２圧縮機（22）、及び第３圧縮機（23）は、運転周波数、ないし回転数が調節可能な可変容量式に構成される。
【００２８】
第１圧縮機（21）には、第１吸入管（21a）及び第１吐出管（21b）が接続される。第２圧縮機（22）には、第２吸入管（22a）及び第２吐出管（22b）が接続される。第３圧縮機（23）には、第３吸入管（23a）及び第３吐出管（23b）が接続される。
【００２９】
第２吸入管（22a）は、冷設ユニット（50）に連通する。第２圧縮機（22）は、冷設ユニット（50）に対応する冷設側圧縮機である。第３吸入管（23a）は、室内ユニット（60）に連通する。第３圧縮機（23）は、室内ユニット（60）に対応する室内側圧縮機である。
【００３０】
〈切換ユニット〉
切換ユニット（30）は、冷媒の流路を切り換える。切換ユニット（30）は、第１配管（31）、第２配管（32）、第３配管（33）、第４配管（34）、第１三方弁（TV1）、及び第２三方弁（TV2）を有する。第１配管（31）の流入端と、第２配管（32）の流入端とは、第１吐出管（21b）に接続する。第１配管（31）及び第２配管（32）は、圧縮部（C）の吐出圧が作用する配管である。第３配管（33）の流出端と、第４配管（34）の流出端とは、第３圧縮機（23）の第３吸入管（23a）に接続する。第３配管（33）及び第４配管（34）は、圧縮部（C）の吸入圧が作用する配管である。
【００３１】
第１三方弁（TV1）は、第１ポート（P1）、第２ポート（P2）、及び第３ポート（P3）を有する。第１三方弁（TV1）の第１ポート（P1）は、高圧流路である第１配管（31）の流出端に接続する。第１三方弁（TV1）の第２ポート（P2）は、低圧流路である第３配管（33）の流入端に接続する。第１三方弁（TV1）の第３ポート（P3）は、室内ガス側流路（35）に接続する。
【００３２】
第２三方弁（TV2）は、第１ポート（P1）、第２ポート（P2）、及び第３ポート（P3）を有する。第２三方弁（TV2）の第１ポート（P1）は、高圧流路である第２配管（32）の流出端に接続する。第２三方弁（TV2）の第２ポート（P2）は、低圧流路である第４配管（34）の流入端に接続する。第２三方弁（TV2）の第３ポート（P3）は、室外ガス側流路（36）に接続する。
【００３３】
第１三方弁（TV1）及び第２三方弁（TV2）は、ロータリ式の電動式の三方弁である。各三方弁（TV1,TV2）は、第１状態（図１の実線で示す状態）と第２状態（図１の破線で示す状態）とにそれぞれ切り換わる。第１状態の各三方弁（TV1,TV2）では、第１ポート（P1）と第３ポート（P3）とが連通し、且つ第２ポート（P2）が閉鎖される。第２状態の各三方弁（TV1,TV2）では、第２ポート（P2）と第３ポート（P3）とが連通し、第１ポート（P1）が閉鎖される。
【００３４】
〈室外熱交換器〉
室外熱交換器（13）は、熱源熱交換器を構成している。室外熱交換器（13）は、フィン・アンド・チューブ型の空気熱交換器である。室外ファン（12）は、室外熱交換器（13）の近傍に配置される。室外ファン（12）は、室外空気を搬送する。室外熱交換器は、その内部を流れる冷媒と、室外ファン（12）が搬送する室外空気とを熱交換させる。
【００３５】
室外熱交換器（13）のガス端には、室外ガス側流路（36）が接続される。室外熱交換器（13）の液端には、室外流路（O）が接続される。
【００３６】
〈室外流路〉
室外流路（O）は、室外第１管（o1）、室外第２管（o2）、室外第３管（o3）、室外第４管（o4）、室外第５管（o5）、室外第６管（o6）、及び室外第７管（o7）を含む。室外第１管（o1）の一端は、室外熱交換器（13）の液端に接続される。室外第１管（o1）の他端には、室外第２管（o2）の一端、及び室外第３管（o3）の一端がそれぞれ接続される。室外第２管（o2）の他端は、レシーバ（15）の頂部に接続される。室外第４管（o4）の一端は、レシーバ（15）の底部に接続される。室外第４管（o4）の他端には、室外第５管（o5）の一端、及び室外第３管（o3）の他端がそれぞれ接続される。室外第５管（o5）の他端は、第１液連絡配管（2）に接続する。室外第６管（o6）の一端は、室外第５管（o5）の途中に接続する。室外第６管（o6）の他端は、第２液連絡配管（4）に接続する。室外第７管（o7）の一端は、室外第６管（o6）の途中に接続する。室外第７管（o7）の他端は、室外第２管（o2）の途中に接続する。
【００３７】
室外第２管（o2）及び室外第３管（o3）は、互いに並列に接続される室外並列回路（OP）を構成している。
【００３８】
〈室外膨張弁〉
第１室外膨張弁（14a）は、室外第２管（o2）に接続される。第２室外膨張弁（14b）は、室外第３管（o3）に接続される。各室外膨張弁（14a,14b）は、冷媒を減圧する減圧機構である。各室外膨張弁（14a,14b）は、熱源膨張弁である。各室外膨張弁（14a,14b）は、開度が可変な電子膨張弁である。
【００３９】
〈レシーバ〉
レシーバ（15）は、冷媒を貯留する容器を構成している。レシーバ（15）では、冷媒がガス冷媒と液冷媒とに分離される。レシーバ（15）の頂部には、室外第２管（o2）の他端と、ガス抜き管（37）の一端が接続される。ガス抜き管（37）の他端は、インジェクション管（38）の途中に接続される。ガス抜き管（37）には、ガス抜き弁（39）が接続される。ガス抜き弁（39）は、開度が可変な電子膨張弁である。
【００４０】
〈冷却熱交換器〉
冷却熱交換器（16）は、レシーバ（15）で分離された冷媒（主として液冷媒）を冷却する。冷却熱交換器（16）は、第１冷媒流路（16a）と、第２冷媒流路（16b）とを有する。第１冷媒流路（16a）は、室外第４管（o4）の途中に接続される。第２冷媒流路（16b）は、インジェクション管（38）の途中に接続される。
【００４１】
インジェクション管（38）の一端は、室外第５管（o5）の途中に接続される。インジェクション管（38）の他端は、第１圧縮機（21）の第１吸入管（21a）に接続される。換言すると、インジェクション管（38）の他端は、圧縮部（C）の中間圧力部分に接続される。インジェクション管（38）には、第２冷媒流路（16b）よりも上流側に減圧弁（40）が設けられる。減圧弁（40）は、開度が可変な膨張弁である。
【００４２】
冷却熱交換器（16）では、第１冷媒流路（16a）を流れる冷媒と、第２冷媒流路（16b）を流れる冷媒とが熱交換する。第２冷媒流路（16b）は、減圧弁（40）で減圧された冷媒が流れる。従って、冷却熱交換器（16）では、第１冷媒流路（16a）を流れる冷媒が冷却される。
【００４３】
〈中間冷却器〉
中間冷却器（17）は、中間流路（41）に接続される。中間流路（41）の一端は、第２圧縮機（22）の第２吐出管（22b）、及び第３圧縮機（23）の第３吐出管（23b）に接続される。中間流路（41）の他端は、第１圧縮機（21）の第１吸入管（21a）に接続される。換言すると、中間流路（41）の他端は、圧縮部（C）の中間圧力部に接続される。
【００４４】
中間冷却器（17）は、フィン・アンド・チューブ型の空気熱交換器である。中間冷却器（17）の近傍には、冷却ファン（17a）が配置される。中間冷却器（17）は、その内部を流れる冷媒と、冷却ファン（17a）が搬送する室外空気とを熱交換させる。
【００４５】
〈油分離回路〉
室外回路（11）は、油分離回路（42）を含む。油分離回路（42）は、油分離器（43）と、第１油戻し管（44）と、第２油戻し管（45）とを有する。油分離器（43）は、第１圧縮機（21）の第１吐出管（21b）に接続される。油分離器（43）は、圧縮部（C）から吐出された冷媒中から油を分離する。第１油戻し管（44）の流入端は、油分離器（43）に接続される。第１油戻し管（44）の流出端は、第２圧縮機（22）の第２吸入管（22a）に接続される。第２油戻し管（45）の流出端は、第３圧縮機（23）の第３吸入管（23a）に接続される。第１油戻し管（44）には、第１油量調節弁（46）が接続される。第２油戻し管（45）には、第２油量調節弁（47）が接続される。
【００４６】
油分離器（43）で分離された油は、第１油戻し管（44）を介して第２圧縮機（22）に戻される。油分離器（43）で分離された油は、第２油戻し管（45）を介して第３圧縮機（23）に戻される。なお、油分離器（43）で分離された油を、第２圧縮機（22）のケーシング内の油溜まりに直接戻してもよい。油分離器（43）で分離された油を、第３圧縮機（23）のケーシング内の油溜まりに直接戻してもよい。
【００４７】
〈冷設ユニット〉
冷設ユニット（50）は、例えば冷蔵倉庫に設置される。冷設ユニット（50）は、庫内ファン（52）と冷設回路（51）とを有する。冷設回路（51）の液端には、第１液連絡配管（2）が接続される。冷設回路（51）のガス端には、第１ガス連絡配管（3）が接続される。
【００４８】
冷設回路（51）は、液端からガス端に向かって順に、冷設膨張弁（53）及び冷設熱交換器（54）を有する。冷設膨張弁（53）は、利用膨張弁である。冷設膨張弁（53）は、開度が可変な電子膨張弁で構成される。
【００４９】
冷設熱交換器（54）は、フィン・アンド・チューブ型の空気熱交換器である。庫内ファン（52）は、冷設熱交換器（54）の近傍に配置される。庫内ファン（52）は、庫内空気を搬送する。冷設熱交換器（54）は、その内部を流れる冷媒と、庫内ファン（52）が搬送する庫内空気とを熱交換させる。
【００５０】
〈室内ユニット〉
室内ユニット（60）は、屋内に設置される利用ユニットである。室内ユニット（60）は、室内ファン（62）と、室内回路（61）とを有する。室内回路（61）の液端には、第２液連絡配管（4）が接続される。室内回路（61）のガス端には、第２ガス連絡配管（5）が接続される。室外ユニット（10）は、高圧流路（I1,I2）を有する冷凍装置用ユニットである。
【００５１】
室内回路（61）は、液端からガス端に向かって順に、室内並列回路（IP）、及び室内熱交換器（64）を有する。室内並列回路（IP）は、室内第１管（I1）、室内第２管（I2）、第１室内膨張弁（63a）、及び第２室内膨張弁（63b）を有する。
【００５２】
室内第１管（I1）には、第１室内膨張弁（63a）が接続される。室内第２管（I2）には、第２室内膨張弁（63b）が接続される。各室内膨張弁（63a,63b）は、利用膨張弁である。各室内膨張弁（63a,63b）は、開度が可変な電子膨張弁である。
【００５３】
室内熱交換器（64）は、利用熱交換器である。室内熱交換器（64）は、フィン・アンド・チューブ型の空気熱交換器である。室内ファン（62）は、室内熱交換器（64）の近傍に配置される。室内ファン（62）は、室内空気を搬送する。室内熱交換器（64）は、その内部を流れる冷媒と、室内ファン（62）が搬送する室内空気とを熱交換させる。
【００５４】
〈逆止弁〉
室外回路（11）は、第１逆止弁（CV1）、第２逆止弁（CV2）、第３逆止弁（CV3）、第４逆止弁（CV4）、第５逆止弁（CV5）、第６逆止弁（CV6）、及び第７逆止弁（CV7）を有する。第１逆止弁（CV1）は、第１吐出管（21b）に接続される。第２逆止弁（CV2）は、第２吐出管（22b）に接続される。第３逆止弁（CV3）は、第３吐出管（23b）に接続される。第４逆止弁（CV4）は、室外第２管（o2）に接続される。第５逆止弁（CV5）は、室外第３管（o3）に接続される。第６逆止弁（CV6）は、室外第６管（o6）に接続される。第７逆止弁（CV7）は、室外第７管（o7）に接続される。
【００５５】
室内回路（61）は、第８逆止弁（CV8）及び第９逆止弁（CV9）を有する。第８逆止弁（CV8）は、室内第１管（I1）に接続される。第９逆止弁（CV9）は、室内第２管（I2）に接続される。
【００５６】
これらの逆止弁（CV1〜CV9）は、図１に示す矢印方向の冷媒の流れを許容し、この矢印と反対方向の冷媒の流れを禁止する。
【００５７】
〈センサ〉
冷凍装置（1）は、各種のセンサ（図示省略）を有する。これらのセンサが検出する指標の一例として、冷媒回路（6）の高圧冷媒の温度／圧力、低圧冷媒の温度／圧力、中間圧冷媒の温度／圧力、室外熱交換器（13）の冷媒の温度、冷設熱交換器（54）の冷媒の温度、室内熱交換器（64）の冷媒の温度、第２圧縮機（22）の吸入冷媒の過熱度、第３圧縮機（23）の吸入冷媒の過熱度、第１〜第３圧縮機（C1,C2,C3）の吐出冷媒の過熱度、室外空気の温度、庫内空気の温度、室内空気の温度がなど挙げられる。
【００５８】
〈コントローラ〉
制御部であるコントローラ（100）は、制御基板上に搭載されたマイクロコンピュータと、該マイクロコンピュータを動作させるためのソフトウエアを格納するメモリディバイス（具体的には半導体メモリ）とを含む。コントローラ（100）は、運転指令やセンサの検出信号に基づいて、冷凍装置（1）の各機器を制御する。コントローラ（100）による各機器の制御により、冷凍装置（1）の運転が切り換えられる。
【００５９】
〈膨張弁の構造の詳細〉
第１室外膨張弁（14a）、第２室外膨張弁（14b）、第１室内膨張弁（63a）、及び第２室内膨張弁（63b）の構造について図２を参照しながら説明する。これらの膨張弁（14a,14b,63a,63b）は、同様の構造の弁機構である。各膨張弁（14a,14b,63a,63b）は、電子膨張弁である。具体的には、各膨張弁（14a,14b,63a,63b）は、ステッピングモータ駆動方式である。
【００６０】
膨張弁（14a,14b,63a,63b）は、継手本体（70）、ニードル弁（80）、及び駆動部（85）をそれぞれ有する。
【００６１】
継手本体（70）は、略円柱状の胴体（71）と、該胴体（71）の端面（図２の上端面）から突出する雄ねじ部（72）とを有する。胴体（71）には、第１孔（73）と第２孔（74）とが形成される。
【００６２】
第１孔（73）は、ニードル弁（80）の先端に対向する位置に形成される。第１孔（73）は、ニードル弁（80）の移動方向前方に位置する。第１孔（73）には、筒状の弁座（75）が挿通される。弁座（75）は、第１孔（73）の内部に保持される。弁座（75）には、連通路（76）が軸方向に貫通している。連通路（76）は、ニードル弁（80）に向かって内径が小さくなっている。
【００６３】
第２孔（74）は、胴体（71）の内部を径方向に延びている。第２孔（74）は、第１孔（73）と直交するように延びている。第１孔（73）の奥側部分は、ニードル弁（80）が移動可能な空間を構成している。
【００６４】
胴体（71）における弁座（75）側の端面（下面）には、第１接続管（77）が接続される。第１接続管（77）は、弁座（75）の連通路（76）に連通する。第２接続管（78）は、第２孔（74）に連通する。第１接続管（77）と第２接続管（78）とは略直交する。膨張弁（14a,14b,63a,63b）では、第１接続管（77）の内部流路、及び連通路（76）が第１流路（81）を構成している。膨張弁（14a,14b,63a,63b）では、第２接続管（78）の内部流路、及び第２孔（74）が第２流路（82）を構成している。
【００６５】
ニードル弁（80）は、膨張弁（14a,14b,63a,63b）の開度を調節する弁体である。ニードル弁（80）は、胴体（71）の軸方向に沿って延びている。ニードル弁（80）は、棒状ないし細長い円筒状に形成される。ニードル弁（80）は、弁座（75）ないし第１流路（81）に対向する先端部（80a）を有する。先端部（80a）は、先端に向かって外径が小さくなる先細り形状をしている。
【００６６】
駆動部（85）は、胴体（71）の雄ねじ部（72）の周囲に設けられる。駆動部（85）は、コイル部（86）、ロータ（87）、及び連結部材（88）を有する。コイル部（86）は、ロータ（87）の周囲に配置される巻き線である。ロータ（87）は、筒状に形成され、コイル部（86）の内部に回転可能に支持されている。連結部材（88）は、筒状に形成され、ロータ（87）の内周面に固定される。連結部材（88）の軸心部には、ニードル弁（80）が保持される。連結部材（88）の内周面には、雄ねじ部（72）に対応する雌ねじ部が形成される。
【００６７】
コイル部（86）の通電状態に応じて、ロータ（87）及び連結部材（88）が正転方向及び逆転方向に回転駆動される。ロータ（87）が正転方向に回転すると、連結部材（88）が締め付け方向に回転し、ニードル弁（80）が第１孔（73）側に押し出される。ロータ（87）が逆方向に回転すると、連結部材（88）が締め付け逆方向に回転し、ニードル弁（80）が第１孔（73）側から引き戻される。
【００６８】
以上のようにして、駆動部（85）は、ニードル弁（80）を、その軸方向に移動させる。具体的には、駆動部（85）は、例えば図２に示す第１位置と第２位置との間で、ニードル弁（80）を移動させる。
【００６９】
第１位置は、図２(Ａ)に示す閉鎖位置に対応する。ニードル弁（80）が閉鎖位置にあると、ニードル弁（80）の先端部（80a）が弁座（75）と接触し、連通路（76）が先端部（80a）によって閉鎖される。この状態では、第１流路（81）と第２流路（82）とが遮断される。
【００７０】
第２位置は、図２(Ｂ)に示す開放位置に対応する。ニードル弁（80）が開放位置にあると、ニードル弁（80）の先端部（80a）が弁座（75）と離れ、連通路（76）が開放される。この結果、第１流路（81）と第２流路（82）とが連通する。膨張弁（14a,14b,63a,63b）では、先端部（80a）と弁座（75）の間隔に応じて、膨張弁（14a,14b,63a,63b）の減圧量が調節される。
【００７１】
〈室内並列回路〉
図１に示す室内並列回路（IP）では、室内第１管（I1）及び室内第２管（I2）が互いに並列に接続される。室内第１管（I1）は、第１高圧流路であり、高圧冷媒が流れる。室内第２管（I2）は、第２高圧流路であり、高圧冷媒が流れる。室内第１管（I1）には、上流側から下流側に向かって順に、第１室内膨張弁（63a）、第８逆止弁（CV8）が接続される。室内第２管（I2）には、上流側から下流側に向かって順に、第２室内膨張弁（63b）、第９逆止弁（CV9）が接続される。第８逆止弁（CV8）及び第９逆止弁（CV9）は、対応する室内膨張弁（63a,63b）の冷媒の流れを規制する規制機構である。
【００７２】
室内第１管（I1）は、第１室内膨張弁（63a）において、高圧冷媒が常に第２流路（82）、第１流路（81）の順に流れるように構成される。第１室内膨張弁（63a）の第２流路（82）は、室内第１管（I1）の上流側に対応する。第１室内膨張弁（63a）の第１流路（81）は、室内第２管（I2）の下流側に対応する。
【００７３】
室内第２管（I2）は、第２室内膨張弁（63b）において、高圧冷媒が常に第２流路（82）、第１流路（81）の順に流れるように構成される。第２室内膨張弁（63b）の第２流路（82）は、室内第２管（I2）の上流側に対応する。第２室内膨張弁（63b）の第１流路（81）は、室内第２管（I2）の下流側に対応する。
【００７４】
室内並列回路（IP）は、室内第１管（I1）の冷媒の流れと、室内第２管（I2）の冷媒の流れとが互いに逆向きとなるように構成される。室内並列回路（IP）は、第１冷凍サイクルにおいて、高圧冷媒が室内第１管（I1）を流れるように構成される。室内並列回路（IP）は、第２冷凍サイクルにおいて、高圧冷媒が室内第２管（I2）を流れるように構成される。第１冷凍サイクルは、室外熱交換器（13）を放熱器とし、室内熱交換器（64）を蒸発器とする冷凍サイクルである。第２冷凍サイクルは、室内熱交換器（64）を放熱器とし、室外熱交換器（13）を蒸発器とする冷凍サイクルである。
【００７５】
〈室外並列回路〉
室外並列回路（OP）では、室外第２管（o2）及び室外第３管（o3）が互いに並列に接続される。室外第２管（o2）は、第１高圧流路であり、高圧冷媒が流れる。室外第３管（o3）は、第２高圧流路であり、高圧冷媒が流れる。室外第２管（o2）には、上流側から下流側に向かって順に、第１室外膨張弁（14a）、第4逆止弁（CV4）が接続される。室外第３管（o3）には、上流側から下流側に向かって順に、第２室外膨張弁（14b）、第５逆止弁（CV5）が接続される。第4逆止弁（CV4）及び第５逆止弁（CV5）は、対応する室外膨張弁（14a,14b）の冷媒の流れを規制する規制機構である。
【００７６】
室外第２管（o2）は、第１室外膨張弁（14a）において、高圧冷媒が常に第２流路（82）、第１流路（81）の順に流れるように構成される。第１室外膨張弁（14a）の第２流路（82）は、室外第２管（o2）の上流側に対応する。第１室外膨張弁（14a）の第１流路（81）は、室外第２管（o2）の下流側に対応する。
【００７７】
室外第３管（o3）は、第２室外膨張弁（14b）において、高圧冷媒が常に第２流路（82）、第１流路（81）の順に流れるように構成される。第２室内膨張弁（63b）の第２流路（82）は、室外第３管（o3）の上流側に対応する。第２室内膨張弁（63b）の第１流路（81）は、室外第３管（o3）の下流側に対応する。
【００７８】
室外並列回路（OP）は、室外第２管（o2）の冷媒の流れと、室外第３管（o3）の冷媒の流れとが互いに逆向きとなるように構成される。室外並列回路（OP）は、第１冷凍サイクルにおいて、高圧冷媒が室外第２管（o2）を流れるように構成される。室外並列回路（OP）は、第２冷凍サイクルにおいて、高圧冷媒が室外第３管（o3）を流れるように構成される。
【００７９】
−運転動作−
冷凍装置（1）の運転動作について詳細に説明する。冷凍装置（1）の運転は、冷設運転、冷房運転、冷房/冷設運転、暖房運転、暖房/冷設運転、暖房/冷設熱回収運転、暖房/冷設余熱運転、及びデフロスト運転を含む。
【００８０】
冷設運転では、冷設ユニット（50）が運転され、室内ユニット（60）は停止する。冷房運転では、冷設ユニット（50）が停止し、室内ユニット（60）が冷房を行う。冷房/冷設運転では、冷設ユニット（50）が運転され、室内ユニット（60）が冷房を行う。暖房運転では、冷設ユニット（50）が停止し、室内ユニット（60）が暖房を行う。暖房/冷設運転、暖房/冷設熱回収運転、及び暖房/冷設余熱運転のいずれにおいても、冷設ユニット（50）が運転され、室内ユニット（60）が暖房を行う。デフロスト運転では、室外熱交換器（13）の表面の霜を融かす動作が行われる。
【００８１】
暖房/冷設運転は、室内ユニット（60）の必要な暖房能力が比較的大きい条件下で実行される。暖房/冷設余熱運転は、室内ユニット（60）の必要な暖房能力が比較的小さい条件下で実行される。暖房/冷設熱回収運転は、室内ユニット（60）の必要な暖房能力が、暖房/冷設運転の間である条件下（冷設と暖房がバランスする条件下）で実行される。
【００８２】
〈冷設運転〉
図３に示す冷設運転では、第１三方弁（TV1）が第２状態、第２三方弁（TV2）が第１状態となる。第１室外膨張弁（14a）が所定開度で開放され、冷設膨張弁（53）の開度が過熱度制御により調節され、第１室内膨張弁（63a）が全閉状態となり、減圧弁（40）の開度が適宜調節される。室外ファン（12）及び庫内ファン（52）が運転され、室内ファン（62）は停止する。第１圧縮機（21）及び第２圧縮機（22）が運転され、第３圧縮機（23）は停止する。冷設運転では、圧縮部（C）で圧縮された冷媒が、室外熱交換器（13）で放熱し、冷設熱交換器（54）で蒸発する冷凍サイクルが行われる。
【００８３】
図３に示すように、第２圧縮機（22）で圧縮された冷媒は、中間冷却器（17）で冷却された後、第１圧縮機（21）に吸入される。第１圧縮機（21）で圧縮された冷媒は、室外熱交換器（13）で放熱する。
【００８４】
放熱した冷媒は、室外第２管（o2）を流れる。室外第２管（o2）では、高圧冷媒が開放状態の第１室外膨張弁（14a）を通過する。この際、図２(Ｂ)に示すように、高圧冷媒は、第２流路（82）、第１流路（81）の順に流れる。その後、高圧冷媒は、第４逆止弁（CV4）を通過する。
【００８５】
次いで冷媒は、レシーバ（15）を流れ、冷却熱交換器（16）で冷却される。冷却熱交換器（16）で冷却された冷媒は、冷設膨張弁（53）で減圧された後、冷設熱交換器（54）で蒸発する。この結果、庫内空気が冷却される。冷却熱交換器（16）で蒸発した冷媒は、第２圧縮機（22）に吸入され、再び圧縮される。
【００８６】
〈冷房運転〉
図４に示す冷房運転では、第１三方弁（TV1）が第２状態、第２三方弁（TV2）が第１状態となる。第１室外膨張弁（14a）が所定開度で開放され、冷設膨張弁（53）が全閉状態となり、第１室内膨張弁（63a）の開度が過熱度制御により調節され、減圧弁（40）の開度が適宜調節される。室外ファン（12）、及び室内ファン（62）が運転され、庫内ファン（52）は停止する。第１圧縮機（21）及び第３圧縮機（23）が運転され、第２圧縮機（22）は停止する。冷房運転では、圧縮部（C）で圧縮された冷媒が、室外熱交換器（13）で放熱し、室内熱交換器（64）で蒸発する冷凍サイクル（第１冷凍サイクル）が行われる。
【００８７】
図４に示すように、第３圧縮機（23）で圧縮された冷媒は、中間冷却器（17）で冷却された後、第１圧縮機（21）に吸入される。第１圧縮機（21）で圧縮された冷媒は、室外熱交換器（13）で放熱する。
【００８８】
放熱した冷媒は、室外第２管（o2）を流れる。室外第２管（o2）では、高圧冷媒が開放状態の第１室外膨張弁（14a）を通過する。この際、高圧冷媒は、第２流路（82）、第１流路（81）の順に流れる。その後、高圧冷媒は、第４逆止弁（CV4）を通過する。
【００８９】
次いで冷媒は、レシーバ（15）を流れ、冷却熱交換器（16）で冷却される。冷却熱交換器（16）で冷却された冷媒は、室内第１管（I1）を流れる。室内第１管（I1）では、高圧冷媒が第１室内膨張弁（63a）で減圧される。この際、高圧冷媒は、第２流路（82）、第１流路（81）の順に流れる。その後、高圧冷媒は、第８逆止弁（CV8）を通過する。
【００９０】
次いで冷媒は、室内熱交換器（64）で蒸発する。この結果、室内空気が冷却される。室内熱交換器（64）で蒸発した冷媒は、第３圧縮機（23）に吸入され、再び圧縮される。
【００９１】
〈冷房/冷設運転〉
図５に示す冷房／冷設運転では、第１三方弁（TV1）が第２状態、第２三方弁（TV2）が第１状態となる。第１室外膨張弁（14a）が所定開度で開放され、冷設膨張弁（53）及び第１室内膨張弁（63a）の各開度が過熱度制御により調節され、減圧弁（40）の開度が適宜調節される。室外ファン（12）、庫内ファン（52）、及び室内ファン（62）が運転される。第１圧縮機（21）、第２圧縮機（22）、及び第３圧縮機（23）が運転される。冷房/冷設運転では、圧縮部（C）で圧縮された冷媒が、室外熱交換器（13）で放熱し、冷設熱交換器（54）及び室内熱交換器（64）で蒸発する冷凍サイクル（第１冷凍サイクル）が行われる。
【００９２】
図５に示すように、第２圧縮機（22）及び第３圧縮機（23）でそれぞれ圧縮された冷媒は、中間冷却器（17）で冷却された後、第１圧縮機（21）に吸入される。第１圧縮機（21）で圧縮された冷媒は、室外熱交換器（13）で放熱する。
【００９３】
放熱した冷媒は、室外第２管（o2）を流れる。室外第２管（o2）では、高圧冷媒が開放状態の第１室外膨張弁（14a）を通過する。この際、高圧冷媒は、第２流路（82）、第１流路（81）の順に流れる。その後、高圧冷媒は、第４逆止弁（CV4）を通過する。
【００９４】
次いで冷媒は、レシーバ（15）を流れ、冷却熱交換器（16）で冷却される。冷却熱交換器（16）で冷却された冷媒は、冷設ユニット（50）と室内ユニット（60）とに分流する。冷設膨張弁（53）で減圧された冷媒は、冷設熱交換器（54）で蒸発する。冷設熱交換器（54）で蒸発した冷媒は、第２圧縮機（22）に吸入され、再び圧縮される。
【００９５】
室内ユニット（60）に送られた冷媒は、室内第１管（I1）を流れる。室内第１管（I1）では、高圧冷媒が第１室内膨張弁（63a）で減圧される。この際、高圧冷媒は、第２流路（82）、第１流路（81）の順に流れる。その後、高圧冷媒は、第８逆止弁（CV8）を通過する。
【００９６】
次いで冷媒は、室内熱交換器（64）で蒸発する。室内熱交換器（64）で蒸発した冷媒は、第３圧縮機（23）に吸入され、再び圧縮される。
【００９７】
〈暖房運転〉
図６に示す暖房運転では、第１三方弁（TV1）が第１状態、第２三方弁（TV2）が第２状態となる。第２室内膨張弁（63b）が所定開度で開放され、冷設膨張弁（53）が全閉状態となり、第２室外膨張弁（14b）の開度が過熱度制御により調節され、減圧弁（40）の開度が適宜調節される。室外ファン（12）及び室内ファン（62）が運転され、庫内ファン（52）が停止する。第１圧縮機（21）及び第３圧縮機（23）が運転され、第２圧縮機（22）は停止する。暖房運転では、圧縮部（C）で圧縮された冷媒が、室内熱交換器（64）で放熱し、室外熱交換器（13）で蒸発する冷凍サイクル（第２冷凍サイクル）が行われる。
【００９８】
図６に示すように、第３圧縮機（23）で圧縮された冷媒は、第１圧縮機（21）に吸入される。第１圧縮機（21）で圧縮された冷媒は、室内熱交換器（64）で放熱する。この結果、室内空気が加熱される。
【００９９】
室内熱交換器（64）で放熱した冷媒は、室内第２管（I2）を流れる。室内第２管（I2）では、高圧冷媒が第２室内膨張弁（63b）を通過する。この際、高圧冷媒は、第２流路（82）、第１流路（81）の順に流れる。その後、高圧冷媒は、第９逆止弁（CV9）を通過する。
【０１００】
次いで冷媒は、レシーバ（15）を流れ、冷却熱交換器（16）で冷却される。冷却熱交換器（16）で冷却された冷媒は、室外第３管（o3）を流れる。室外第３管（o3）では、高圧冷媒が第２室外膨張弁（14b）を通過する。この際、高圧冷媒は、第２流路（82）、第１流路（81）の順に流れる。その後、高圧冷媒は、第５逆止弁（CV5）を通過する。
【０１０１】
次いで冷媒は、室外熱交換器（13）で蒸発する。室内熱交換器（64）で蒸発した冷媒は、第３圧縮機（23）に吸入され、再び圧縮される。
【０１０２】
〈暖房/冷設運転〉
図７に示す暖房/冷設運転では、第１三方弁（TV1）が第１状態、第２三方弁（TV2）が第２状態に設置される。第２室内膨張弁（63b）が所定開度で開放され、冷設膨張弁（53）及び第２室外膨張弁（14b）の開度が過熱度制御により調節され、減圧弁（40）の開度が適宜調節される。室外ファン（12）、庫内ファン（52）、及び室内ファン（62）が運転される。第１圧縮機（21）、第２圧縮機（22）、及び第３圧縮機（23）が運転される。暖房/冷設運転では、圧縮部（C）で圧縮された冷媒が、室内熱交換器（64）で放熱し、冷設熱交換器（54）及び室外熱交換器（13）で蒸発する冷凍サイクル（第２冷凍サイクル）が行われる。
【０１０３】
図７に示すように、第２圧縮機（22）及び第３圧縮機（23）でそれぞれ圧縮された冷媒は、第１圧縮機（21）に吸入される。第１圧縮機（21）で圧縮された冷媒は、室内熱交換器（64）で放熱する。この結果、室内空気が加熱される。
【０１０４】
室内熱交換器（64）で放熱した冷媒は、室内第２管（I2）を流れる。室内第２管（I2）では、高圧冷媒が第２室内膨張弁（63b）を通過する。この際、高圧冷媒は、第２流路（82）、第１流路（81）の順に流れる。その後、高圧冷媒は、第９逆止弁（CV9）を通過する。
【０１０５】
次いで冷媒は、レシーバ（15）を流れ、冷却熱交換器（16）で冷却される。冷却熱交換器（16）で冷却された冷媒の一部は、室外第３管（o3）を流れる。室外第３管（o3）では、高圧例尾が第２室外膨張弁（14b）を通過する。この際、高圧冷媒は、第２流路（82）、第１流路（81）の順に流れる。その後、高圧冷媒は、第５逆止弁（CV5）を通過する。
【０１０６】
次いで冷媒は、室外熱交換器（13）で蒸発する。室内熱交換器（64）で蒸発した冷媒は、第３圧縮機（23）に吸入され、再び圧縮される。
【０１０７】
冷却熱交換器（16）で冷却された冷媒の残りは、冷設膨張弁（53）で減圧された後、冷設熱交換器（54）で蒸発する。この結果、庫内空気が冷却される。冷設熱交換器（54）で蒸発した冷媒は、第２圧縮機（22）に吸入され、再び圧縮される。
【０１０８】
〈暖房/冷設熱回収運転〉
図８に示す暖房/冷設熱回収運転は、第１三方弁（TV1）が第１状態、第２三方弁（TV2）が第２状態となる。第２室内膨張弁（63b）が所定開度で開放され、第２室外膨張弁（14b）が全閉状態となり、冷設膨張弁（53）の開度が過熱度制御により調節され、減圧弁（40）の開度が適宜調節される。室内ファン（62）及び庫内ファン（52）が運転され、室外ファン（12）が停止する。第１圧縮機（21）及び第２圧縮機（22）が運転され、第３圧縮機（23）は停止する。暖房/冷設熱回収運転では、圧縮部（C）で圧縮された冷媒が、室内熱交換器（64）で放熱し、冷設熱交換器（54）で蒸発し、室外熱交換器（13）が実質的に停止する冷凍サイクルが行われる。
【０１０９】
図８に示すように、第２圧縮機（22）で圧縮された冷媒は、第１圧縮機（21）に吸入される。第１圧縮機（21）で圧縮された冷媒は、室内熱交換器（64）で放熱する。この結果、室内空気が加熱される。
【０１１０】
室内熱交換器（64）で放熱した冷媒は、室内第２管（I2）を流れる。室内第２管（I2）では、高圧冷媒が第２室内膨張弁（63b）を通過する。この際、高圧冷媒は、第２流路（82）、第１流路（81）の順に流れる。その後、高圧冷媒は、第９逆止弁（CV9）を通過する。
【０１１１】
次いで冷媒は、レシーバ（15）を流れ、冷却熱交換器（16）で冷却される。冷却熱交換器（16）で冷却された冷媒は、冷設膨張弁（53）で減圧された後、冷設熱交換器（54）で蒸発する。冷設熱交換器（54）で蒸発した冷媒は、第２圧縮機（22）に吸入され、再び圧縮される。
【０１１２】
〈暖房/冷設余熱運転〉
図９に示すように、暖房/冷設余熱運転では、第１三方弁（TV1）が第１状態、第２三方弁（TV2）が第１状態となる。第２室内膨張弁（63b）及び第１室外膨張弁（14a）が所定開度で開放され、冷設膨張弁（53）の開度が過熱度制御により調節され、減圧弁（40）の開度が適宜調節される。室外ファン（12）、庫内ファン（52）、及び室内ファン（62）が運転される。第１圧縮機（21）及び第２圧縮機（22）が運転され、第３圧縮機（23）は停止する。暖房/冷設余熱運転では、圧縮部（C）で圧縮された冷媒が、室内熱交換器（64）及び室外熱交換器（13）で放熱し、冷設熱交換器（54）で蒸発する冷凍サイクルが行われる。
【０１１３】
図９に示すように、第２圧縮機（22）で圧縮された冷媒は、第１圧縮機（21）に吸入される。第１圧縮機（21）で圧縮された冷媒の一部は、室外熱交換器（13）で放熱する。
【０１１４】
放熱した冷媒は、室外第２管（o2）を流れる。室外第２管（o2）では、高圧冷媒が開放状態の第１室外膨張弁（14a）を通過する。この際、高圧冷媒は、第２流路（82）、第１流路（81）の順に流れる。その後、高圧冷媒は、第４逆止弁（CV4）を通過する。
【０１１５】
第１圧縮機（21）で圧縮された冷媒の残りは、室内熱交換器（64）で放熱する。この結果、室内空気が加熱される。
【０１１６】
室内熱交換器（64）で放熱した冷媒は、室内第２管（I2）を流れる。室内第２管（I2）では、高圧冷媒が第２室内膨張弁（63b）を通過する。この際、高圧冷媒は、第２流路（82）、第１流路（81）の順に流れる。その後、高圧冷媒は、第９逆止弁（CV9）を通過する。
【０１１７】
室外熱交換器（13）で放熱した冷媒と、室内熱交換器（64）で放熱した冷媒とは、合流した後、レシーバ（15）を流れ、冷却熱交換器（16）で冷却される。冷却熱交換器（16）で冷却された冷媒は、冷設膨張弁（53）で減圧された後、冷設熱交換器（54）で蒸発する。この結果、庫内空気が冷却される。冷設熱交換器（54）で蒸発した冷媒は、第２圧縮機（22）に吸入され、再び圧縮される。
【０１１８】
〈デフロスト運転〉
デフロスト運転では、図４に示す冷房運転と同じ動作が行われる。デフロスト運転では、第２圧縮機（22）及び第１圧縮機（21）で圧縮された冷媒が、室外熱交換器（13）で放熱する。この結果、室外熱交換器（13）の表面の霜が内部から加熱される。室外熱交換器（13）の除霜に利用された冷媒は、室内熱交換器（64）で蒸発した後、第２圧縮機（22）に吸入され、再び圧縮される。
【０１１９】
−弁機構の課題−
冷凍装置（1）の冷媒回路（6）では、冷媒を臨界圧力以上まで圧縮する冷凍サイクルが行われる。このため、室内膨張弁（14a,14b,63a,63b）及び室外膨張弁（14a,14b,63a,63b）では、臨界圧力以上の高圧冷媒が、その内部を通過する。これらの膨張弁（14a,14b,63a,63b）において、高圧冷媒が、図２に示す第１流路（81）、第２流路（82）を順に流れると、ニードル弁（80）の先端部（95b）に高圧冷媒の圧力が作用する。この圧力により、先端部（95b）が開放方向（図２の上方）に押し上げられ、膨張弁（14a,14b,63a,63b）が故障する可能性があった。
【０１２０】
−高圧流路の作用−
上記課題を考慮し、本実施形態の冷凍装置（1）では、各膨張弁（14a,14b,63a,63b）において、高圧冷媒が常に第２流路（82）、第１流路（81）の順に流れるようにしている。
【０１２１】
冷房運転、冷房／冷設運転、及びデフロスト運転では、上述した第１冷凍サイクルが行われる。第１冷凍サイクルでは、高圧冷媒が、室外並列回路（OP）の室外第２管（o2）を流れる。室外第３管（o3）は、第５逆止弁（CV5）によって閉鎖されるため、高圧冷媒が流れない。
【０１２２】
室外第２管（o2）では、第１室外膨張弁（14a）の第２流路（82）が上流側に位置し、第１流路（81）が下流側に位置する。このため、高圧冷媒は、第１室外膨張弁（14a）において、第２流路（82）、第１流路（81）を順に流れる。
【０１２３】
第１冷凍サイクルでは、高圧冷媒が、室内並列回路（IP）の室内第１管（I1）を流れる。室内第２管（I2）は、第９逆止弁（CV9）によって閉鎖されるため、高圧冷媒が流れない。室内第１管（I1）では、第１室内膨張弁（63a）の第２流路（82）が上流側に位置し、第１流路（81）が下流側に位置する。このため、高圧冷媒は、第１室内膨張弁（63a）において、第２流路（82）、第１流路（81）を順に流れる。
【０１２４】
以上ように、第１冷凍サイクルでは、第１室外膨張弁（14a）及び第１室内膨張弁（63a）において、高圧冷媒が、第１流路（81）、第２流路（82）の順に流れることがない。このため、高圧冷媒の圧力が、ニードル弁（80）の先端部（95b）を押し上げられる方向に作用することを回避でき、第１室外膨張弁（14a）及び第１室内膨張弁（63a）の故障を防止できる。
【０１２５】
暖房運転、及び暖房／冷設運転では、第２冷凍サイクルが行われる。第２冷凍サイクルでは、高圧冷媒が、室内並列回路（IP）の室内第２管（I2）を流れる。室内第１管（I1）は、第８逆止弁（CV8）によって閉鎖されるため、高圧冷媒が流れない。
【０１２６】
室内第２管（I2）では、第２室内膨張弁（63b）の第２流路（82）が上流側に位置し、第１流路（81）が下流側に位置する。このため、高圧冷媒は、第２室内膨張弁（63b）において、第２流路（82）、第１流路（81）を順に流れる。
【０１２７】
第２冷凍サイクルでは、高圧冷媒が、室外並列回路（OP）の室外第３管（o3）を流れる。室外第２管（o2）は、第４逆止弁（CV4）によって閉鎖されるため、高圧冷媒が流れない。
【０１２８】
室外第３管（o3）では、第２室外膨張弁（14b）の第２流路（82）が上流側に位置し、第１流路（81）が下流側に位置する。このため、高圧冷媒は、第２室外膨張弁（14b）において、第２流路（82）、第１流路（81）を順に流れる。
【０１２９】
以上ように、第２冷凍サイクルでは、第２室外膨張弁（14b）及び第２室内膨張弁（63b）において、高圧冷媒が、第１流路（81）、第２流路（82）の順に流れることがない。このため、高圧冷媒の圧力が、ニードル弁（80）の先端部（95b）を押し上げられる方向に作用することを回避でき、第２室外膨張弁（14b）及び第２室内膨張弁（63b）の故障を防止できる。
【０１３０】
図８に示す暖房／冷設熱回収運転では、高圧冷媒が室内第２管（I2）を流れる。従って、この運転では、第２室内膨張弁（63b）において、高圧冷媒が第２流路（82）、第１流路（81）を順に流れる。
【０１３１】
図９に示す暖房／冷設余熱運転では、高圧冷媒が室内第２管（I2）及び室外第２管（o2）を流れる。従って、この運転では、第２室内膨張弁（63b）及び第１室外膨張弁（14a）において、高圧冷媒は第２流路（82）、第１流路（81）を順に流れる。
【０１３２】
−実施形態の効果−
実施形態は、圧縮部（C）、利用熱交換器（64）、及び熱源熱交換器（13）を含むとともに冷媒が臨界圧力以上となる冷凍サイクルを行う冷媒回路（6）を備えた冷凍装置（1）に設けられる冷凍装置用ユニット（室外ユニット（10）及び室内ユニット（60））において、冷媒回路（6）の高圧冷媒が流れる高圧流路（I1,I2,O2,O3）と、前記高圧流路（I1,I2,O2,O3,48）に接続される膨張弁（14a,14b,63a,63b）とを備え、膨張弁（14a,14b,63a,63b）は、ニードル弁（80）と、ニードル弁（80）の先端部（80a）に対向する位置に形成される第１流路（81）と、ニードル弁（80）の先端部（80a）が第１流路（81）を閉鎖する第１位置と、ニードル弁（80）の先端部（80a）が第１流路（81）を開放する第２位置との間で、ニードル弁（80）を移動させる駆動部（85）と、ニードル弁（80）が第２位置にあるときに、第１流路（81）と連通する第２流路（82）とを有し、高圧流路（I1,I2,O2,O3）は、膨張弁（14a,14b,63a,63b）において、高圧冷媒が常に第２流路（82）、第１流路（81）の順に流れるように構成される。
【０１３３】
この構成では、高圧冷媒が、ニードル弁（80）の先端部（80a）を開放側に押し上げるように作用することを確実に回避できる。従って、膨張弁（14a,14b,63a,63b）の故障を回避でき、冷凍装置（1）の信頼性を確保できる。
【０１３４】
実施形態は、膨張弁（14a,14b,63a,63b）において、第２流路（82）、第１流路（81）の順の冷媒の流れを許容し、第１流路（81）、該第２流路（82）の順の冷媒の流れを禁止する逆止弁（CV4,CV5,CV8,CV9）（規制機構）を有する。
【０１３５】
この構成により、冷媒が、膨張弁（14a,14b,63a,63b）において、第１流路（81）、第２流路（82）の順に流れることを確実に回避できる。
【０１３６】
実施形態は、冷媒回路（6）が、室外熱交換器（13）を放熱器とし、室内熱交換器（64）を蒸発器とする第１冷凍サイクルと、室内熱交換器（64）を放熱器とし、室外熱交換器（13）を蒸発器とする第２冷凍サイクルとを切り換えて行うように構成され、冷媒回路（6）は、第１高圧流路（I1,O2）と第２高圧流路（I2,O3）とが並列に接続される並列回路（IP,OP）を有し、第１高圧流路（I1,O2）及び第２高圧流路（I2,O3）には、膨張弁（14a,14b,63a,63b）と逆止弁（CV4,CV5,CV8,CV9）（規制機構）とがそれぞれ接続され、並列回路（IP,OP）は、第１高圧流路（I1,O2）の冷媒の流れと、第２高圧流路（I2,O3）の冷媒の流れとが互いに逆向きとなるように構成される。
【０１３７】
この構成では、第１冷凍サイクルと第２冷凍サイクルとの双方において、各膨張弁（14a,14b,63a,63b）で冷媒が第１流路（81）、第２流路（82）の順に流れてしまうことを確実に回避できる。従って、冷房運転と暖房運転とを切り換えて行う冷凍装置（1）の信頼性を向上できる。
【０１３８】
−変形例１−
図１０に示す実施形態の変形例は、上述した実施形態の冷媒回路（6）に均圧管（48）が接続される。均圧管（48）の流入端は、第１圧縮機（21）の第１吐出管（21b）に接続される。均圧管（48）の流出端は、第２圧縮機（22）の第２吸入管（22a）に接続される。均圧管（48）は、高圧冷媒が流れる高圧流路である。変形例の室外ユニット（10）は、高圧流路（48）を有する熱源ユニットである。
【０１３９】
均圧管（48）には、上流側から下流側に向かって順に、電磁開閉弁（90）、及び第１０逆止弁（CV10）が接続される。電磁開閉弁（90）は、弁機構である。第１０逆止弁（CV10）は、規制機構である。第１０逆止弁（CV10）は、電磁開閉弁（90）において、高圧冷媒が常に第２流路（82）、第１流路（81）の順に流れるように、冷媒の流れを規制している。
【０１４０】
電磁開閉弁（90）の概略の構成を図１１に示す。本例の電磁開閉弁（90）は、直動式の電磁開閉弁である。電磁開閉弁（90）は、本体部（91）、収容部（92）、プランジャー（95）、及び駆動部（85）を有する。本体部（91）には、軸方向に延びる略筒状に形成される。本体部（91）の軸方向の一端（図１１の右端）には、第１流路（81）が形成される。軸方向の他端（図１１の左端）には、第２流路（82）が形成される。
【０１４１】
第１流路（81）は、第１主流路（81a）と第１連通路（81b）とを含む。第１主流路（81a）は、本体部（91）の軸方向に延びる。第１主流路（81a）の流出端には、第１接続管（77）が接続される。第１連通路（81b）は、第１主流路（81a）の流入端からプランジャー（95）側に向かって延びている。第１連通路（81b）の流入端は、収容部（92）の内部空間（93）に連通する。第１連通路（81b）は、プランジャー（95）の先端部（95b）に対向する位置に形成される。第１連通路（81b）は、プランジャー（95）の先端部（95b）の移動方向前方に位置する。このため、第１連通路（81b）は、プランジャー（95）によって開閉される。
【０１４２】
第２流路（82）は、第２主流路（82a）と第２連通路（82b）とを含む。第２主流路（82a）は、本体部（91）の軸方向に延びる。第２主流路（82a）の流入端には、第２接続管（78）が接続される。第２連通路（82b）は、第２主流路（82a）の流出端からプランジャー（95）側に向かって延びている。第２連通路（82b）の流出端は、収容部（92）の内部空間（93）に連通する。第２連通路（82b）は、プランジャー（95）の軸方向視において、プランジャー（95）の先端部（95b）と重ならない位置にある。このため、第２連通路（82b）は、プランジャー（95）に開閉されず、常に収容部（92）の内部空間（93）に連通する。
【０１４３】
収容部（92）は、本体部（91）と直交する方向に延びる筒状に形成される。収容部（92）には、内部空間（93）が形成される。収容部（92）の内部には、プランジャー（95）が、その軸方向に移動可能に収容される。
【０１４４】
プランジャー（95）は、鉄芯により構成される。プランジャー（95）は、柱状の本体（95a）と、本体（95a）よりも外径の大きな先端部（95b）とを有する。先端部（95b）の軸心と第２連通路（82b）の軸心は一致している。
【０１４５】
駆動部（85）は、コイル（96）と、金属性のばね（97）とを有する。コイル（96）は、通電することでプランジャー（95）に電磁力を作用させる。ばね（97）の内部には、プランジャー（95）の本体（95a）が挿入される。ばね（97）は、先端部（95b）と収容部（92）との間に位置する。ばね（97）は、プランジャー（95）を第１連通路（81b）側に向かって付勢する。
【０１４６】
駆動部（85）は、プランジャー（95）を第１位置（図１１(Ａ)に示す閉鎖位置）と、第２位置（図１１(Ｂ)に示す開放位置）との間で移動させる。具体的には、例えばコイル（96）が非通電状態になると、プランジャー（95）がばね（97）によって第１位置まで付勢される。これにより、第１連通路（81b）がプランジャー（95）の先端部（95b）に閉塞され、第１流路（81）と第２流路（82）とが遮断される。コイル（96）が通電状態になると、プランジャー（95）が電磁力によって誘引され、プランジャー（95）の先端部（95b）と連通路（76）が離れる。これにより、第１連通路（81b）が開放され、第１流路（81）と第２流路（82）とが遮断される。
【０１４７】
変形例の均圧管（48）は、電磁開閉弁（90）において、常に高圧冷媒が、第２流路（82）、第１流路（81）の順に流れるように構成される。このため、変形例においても、高圧冷媒の圧力が、プランジャー（95）を開放側に押し上げる方向に作用することを回避できる。従って、プランジャー（95）が開放位置側に押し付けられることに起因して、電磁開閉弁（90）が故障することを回避できる。加えて、閉状態の電磁開閉弁（90）のプランジャー（95）が持ち上げられることを確実に抑制でき、高圧冷媒が閉状態の電磁開閉弁（90）を通過してしまうことを確実に回避できる。
【０１４８】
なお、本例の電磁開閉弁（90）では、第１接続管（77）と第２接続管（78）とが同軸上に配置される。しかし、電磁開閉弁（90）は、上述した膨張弁（14a,14b,63a,63b）と同様、第１接続管（77）及び第２接続管（78）が直交する構造であってもよい。
【０１４９】
《その他の実施形態》
上記実施形態の冷凍装置（1）は、室内ユニット（60）と冷設ユニット（50）とを有する空気調和装置である。空気調和装置は、複数の室内ユニットを有するマルチ式であってもよいし、１台の室内ユニットと１台の室外ユニットとを有するペア式であってもよい。空気調和装置は、少なくとも１つの室内ユニットで冷房運転を行い、他の室内ユニットで暖房運転を行う方式でもよい。
【０１５０】
加えて、冷設ユニット（50）に代えて庫内の空気を加熱する温蔵庫を採用してもよい。温蔵庫の内部には、庫内の空気を加熱する加熱熱交換器が設けられる。冷凍装置（1）では、室内熱交換器（64）で室内空気を冷却又は加熱すると同時に、加熱熱交換器で庫内の空気を加熱する運転が行われる。
【０１５１】
室内ユニット（60）と室外ユニット（10）のうちの一方のみに高圧流路を設けてもよい。
【０１５２】
膨張弁は、感温式の膨張弁であってもよい。電子膨張弁は、リニア電磁駆動式、パルス電磁駆動式、バイメタル式などであってもよい。
【０１５３】
圧縮部（C）は、モータと、該モータに連結する１本の駆動軸と、該駆動軸に連結される２つ以上の圧縮機構を有する多段型圧縮機であってもよい。
【０１５４】
利用熱交換器は、必ずしも空気熱交換器でなくてもよい。実施形態の室内熱交換器（64）を、水や他の熱媒体と熱交換する熱交換器としてもよい。この構成では、熱交換器を蒸発器とすることで、水や他の熱媒体を冷却できる。あるいは、熱交換器を放熱器とすることで、水や他の熱媒体を加熱できる。
【０１５５】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【０１５６】
以上説明したように、本開示は、冷凍装置用ユニット、熱源ユニット、利用ユニット、及び冷凍装置について有用である。
【符号の説明】
【０１５７】
１      冷凍装置
６      冷媒回路
１０      室外ユニット（熱源ユニット、冷凍装置用ユニット）
１３      室外熱交換器（熱源熱交換器）
１４ａ    第１室外膨張弁（膨張弁、弁機構）
１４ｂ    第２室外膨張弁（膨張弁、弁機構）
４８      均圧管（高圧流路）
６０      室内ユニット（利用ユニット、冷凍装置用ユニット）
６３ａ    第１室内膨張弁（膨張弁、弁機構）
６３ｂ    第２室内膨張弁（膨張弁、弁機構）
６４      室内熱交換器（利用熱交換器）
８０      ニードル弁（弁体）
８０ａ    先端部
８１      第１流路
８２      第２流路
８５      駆動部
９５      プランジャー
９５ｂ    先端部
ＣＶ４    第４逆止弁（規制機構）
ＣＶ５    第５逆止弁（規制機構）
ＣＶ８    第８逆止弁（規制機構）
ＣＶ９    第９逆止弁（規制機構）
ＣＶ１０  逆止弁
ＩＰ      室内並列回路（並列回路）
Ｉ１      室内第１管（第１高圧流路）
Ｉ２      室内第２管（第２高圧流路）
ＯＰ      室外並列回路（並列回路）
Ｏ２      室外第２管（第１高圧流路）
Ｏ３      室外第３管（第２高圧流路）
【図１】
2020186868.tif 000003
【図２】
2020186868.tif 000004
【図３】
2020186868.tif 000005
【図４】
2020186868.tif 000006
【図５】
2020186868.tif 000007
【図６】
2020186868.tif 000008
【図７】
2020186868.tif 000009
【図８】
2020186868.tif 000010
【図９】
2020186868.tif 000011
【図１０】
2020186868.tif 000012
【図１１】
2020186868.tif 000013